(57)【要約】    【課題】構成が簡単であり、マーカーの取り外しも容易であり、ゴルフクラブを強振したぐらいでは、マーカーが移動したり、外れたりしないようなゴルフ用手袋を提供する。    【解決手段】  甲部覆い片（２）にマーカー取付個所を形成したゴルフ用手袋である。前記マーカー取付個所は、２つに分断した隆起部（１１，１２）に挟まれたマーカー挿入部（８）を有し、このマーカー挿入部（８）に磁力発生又は感応部（１０）を設けている。前記隆起部（１１，１２）は、マーカー挿入部（８）の上下方向に位置し、左右方向は空間（１３，１４）となっている。マーカー挿入部（８）には磁力に感応する金属板（１０）が設けられ、マーカーの磁石に反応する。【選択図】図３
2007029318.tif 000002
【特許請求の範囲】
【請求項１】
甲部覆い片（２）にマーカー（７）の取付個所を形成したゴルフ用手袋であって、
前記マーカー（７）は磁力を発生又は磁力に感応するものであり、
前記マーカー取付個所は、少なくとも２つに分断した隆起部（１１，１２；１１Ａ，１１Ａ’，１２Ａ，１２Ａ’）に挟まれたマーカー挿入部（８）を有し、このマーカー挿入部（８）に磁力発生又は磁力感応部（１０）を設けたことを特徴とするゴルフ用手袋。
【請求項２】
前記隆起部（１１，１２）が、マーカー挿入部（８）の上下方向に位置し、左右方向は空間（１３，１４）となっている請求項１記載のゴルフ用手袋。
【請求項３】
前記隆起部が、マーカー挿入部の左右方向に位置し、上下方向は空間となっている請求項１記載のゴルフ用手袋。
【請求項４】
前記隆起部の形状が、２つに分断された円弧（１１，１２）である請求項１ないし３のいずれかに記載のゴルフ用手袋。
【請求項５】
前記隆起部の形状が、４つに分断された直線状小片（１１Ａ，１１Ａ’，１２Ａ，１２Ａ’）である請求項１ないし３のいずれかに記載のゴルフ用手袋。
【請求項６】
前記隆起部（１１，１２；１１Ａ，１１Ａ’，１２Ａ，１２Ａ’）の高さが、マーカー（７）の高さとほぼ等しい請求項１ないし５のいずれかに記載のゴルフ用手袋。
【請求項７】
マーカー挿入部（８）には磁力に感応する金属板（１０）が設けられ、マーカーの磁石に反応する請求項１ないし６のいずれかに記載のゴルフ用手袋。
【請求項８】
マーカー挿入部が磁石を有し、マーカーの磁力感応部と反応する請求項１ないし６のいずれかに記載のゴルフ用手袋。
【発明の詳細な説明】
【技術分野】
【０００１】
本発明はゴルフ用手袋に関する。特に、ゴルフマーカー（以下、単に「マーカー」という）を収納可能としたゴルフ用手袋に関する。
【背景技術】
【０００２】
ゴルフ競技においては、各競技者はグリーン上の各自のボール位置をマークするためにマーカーをポケット等に所持して競技するのが通例である。マーカーは競技中に紛失することがよくあるので、それを防ぐため、これを衣服に一時的に固定する考案が以前から行われている。例えば、マーカーを手袋に取り付ける考案として、下記特許文献１〜４が知られている。
【特許文献１】実開昭５０−７６９５３号
【特許文献２】実開昭５０−３２０７２号
【特許文献３】実公昭５５−２８１号
【特許文献４】実開昭５２−１３１６７号
【０００３】
特許文献１は、手袋甲部の上面と手袋甲部覆い片の下面とを面ファスナーで接着可能とし、前記手袋甲部覆い片側にピン付きのマーカーを収納するものである。ピンは覆い片側の穴に差し込まれて位置決めに使用される。
【０００４】
特許文献２は、手袋甲部の上面に割れ目を設け、そこを入口とするマーカー収納用のポケットを形成している。
【０００５】
特許文献３は、手袋甲部の上面側の面接着シートの内方部をマーカー収納部とすると共に、これを被覆するカバー部に小幅な切り込み線からなるマーカー出入り口を形成している。
【０００６】
特許文献４は、手袋の所望個所に磁石を設け、マーカーをこの磁石で保持する。
【発明の開示】
【発明が解決しようとする課題】
【０００７】
特許文献１では、マーカーにピン（突起部）を設定するのが安全上好ましくない。また、覆い片をめくった瞬間に支える物がなくなってマーカーが落下する虞がある。
【０００８】
特許文献２では、ゴルフクラブを強振したときなどにマーカーが割れ目から飛び出す可能性がある。
【０００９】
特許文献３では、収納部の構成がやや複雑となり、手袋の製作費が上昇する。
【００１０】
特許文献４では、磁石が手袋から突出しているので、そこにマーカーを付着させると、ゴルフクラブを強振したときなどにマーカーが移動したり、場合によれば外れたりする虞がある。
【００１１】
本発明は、これらの問題をすべて解決することを意図している。すなわち、構成が簡単であり、マーカーの取り外しも容易であり、ゴルフクラブを強振したぐらいでは、マーカーが移動したり、外れたりしないようなゴルフ用手袋を提供することを目的とする。
【課題を解決するための手段】
【００１２】
本発明は、甲部覆い片にマーカーの取付個所を形成したゴルフ用手袋であって、  前記マーカーは磁力を発生又は磁力に感応するものであり、前記マーカー取付個所は、少なくとも２つに分断した隆起部に挟まれたマーカー挿入部を有し、このマーカー挿入部に磁力発生又は磁力感応部を設けたことを特徴とする。
【発明の効果】
【００１３】
本発明によれば、手袋に対するマーカーの設定は、マーカー挿入部に対してマーカーを磁力によって付着させるだけであるから簡単である。また、マーカー挿入部は隆起部によって位置決めされているので、マーカーの移動や脱落も確実に防止することができる。マーカーを使用するときには、隆起部の存在しない左右空間に指を当てて、磁力に逆らってマーカーを引き剥がすだけでよい。
【発明を実施するための最良の形態】
【００１４】
マーカー取付個所は、右利きの人には左側の手袋、左利きの人には右側の手袋に取り付けるのが自然である。しかし、左右のデザインを統一するために双方に取り付けてもよい。
【００１５】
隆起部は、マーカー挿入部の上下方向に設けてもよいし、左右方向に設けることもできる。上下方向に設けたときには左右方向が空間となり、左右方向に設けたときには上下方向が空間となる。概して、空間は左右方向にある方がマーカーに指をかけやすいようである。
【００１６】
隆起部の形状は２つに分断された円弧状（すなわち（）状）としてもよいし、２つに分断されたカギ括弧状（すなわち［］状）としてもよい。隆起部は、少なくとも２つは必要であるが、３つ以上設けることもできる。例えば、２つずつ対向して位置する４つの直線状小片（すなわち、各線が接触しない◇状）とすることもできる。要するに、丸いマーカーが位置決めされる形状であればよい。
【００１７】
前記隆起部の高さは、マーカーの高さとほぼ等しくすることが好ましい。そうすることにより、ゴルフクラブ強振のときなどにマーカーが飛び出すのを確実に防ぐことができる。また、何かと接触しても、マーカーの側部と直接接触することはないので、マーカーが取れたり、ずれたりすることがなくなる。
【００１８】
隆起部は、合成樹脂の射出成形等により、マーカー取付個所に一体成形してもよいし、別に製作して後から接着剤等でマーカー取付個所に付着させてもよい。
【００１９】
マーカー自体に磁石を設定するときには、マーカー挿入部は磁力に感応する金属板とすればよく、マーカー自体を磁力感応部とするときには、マーカー挿入部に磁石を設定することができる。磁力感応部はそれ自体磁石であってもよい。
【実施例１】
【００２０】
以下、添付の図面に基づき、本発明の実施例を説明する。
【００２１】
図１は、第１実施例に係るゴルフ用手袋１の正面図であり、図２は、甲部覆い片２をめくった状態の正面図である。図３は、図１の３−３断面図であり、図４は、図１の４−４断面図である。
【００２２】
図２に示すように、手袋甲部３には開閉部４が設けられており、甲部の上面と、甲部覆い片２の下面にはそれぞれ面ファスナ５，６が取り付けられている。面ファスナ５，６同士を付着させて開閉部４を閉鎖し、面ファスナ同士を話して開閉部を開放することができる。
【００２３】
図１に示すように、マーカー７は甲部覆い片２の中央に位置するマーカー取付個所に取り付けられる。甲部覆い片２は、前記の通り、下面は面ファスナ６が取り付けられているが、上面９はマーカー取付個所を除き、全体的に平板である。
【００２４】
図３に示すように、マーカー取付個所は、マーカー挿入部８を形成する中央の埋設金属板１０と、その上下に円弧状に伸びる隆起部１１，１２からなる。
【００２５】
埋設金属板１０はマーカー７を固定する部分である。埋設金属板１０は、磁力に対して感応するものであればよく、例えば、鉄製円板を埋め込むことにより形成することができる。
【００２６】
隆起部１１，１２は、埋設金属板１０の上下に設けられ、上下方向に位置する丸括弧（（））のように２つの円弧からなる。それぞれの円弧は、想像円の１／５〜１／３程度の長さを有する。金属板の左右にはこの隆起部がなく、空間１３，１４となっているので、障害物となるものはない。
【００２７】
マーカー７は、上下の隆起部１１，１２の間に密着する形で収納される（図３の想像線を参照）。収納状態では、隆起部の高さとマーカーの高さはほぼ等しいか、又は、なだらかな山形をなす程度である。この実施例では隆起部の高さは３ｍｍである。マーカーの裏面には予め永久磁石７ａが埋設してある。
【００２８】
本発明の手袋を使用するには、永久磁石７ａを有するマーカー７を隆起部１１，１２の間にはめ込むことにより、マーカー７を手袋１に設定する。マーカーは上下が円弧状隆起部１１，１２によって位置決めされているので、少々強くゴルフクラブを振ったくらいでは、全く移動しない。また、隆起部の高さとマーカーの高さはほぼ等しいので、何かと接触しても、マーカーが取れたり、ずれたりすることもない。マーカー７を使用するときには、隆起部の存在しない左右空間１３，１４に指を当てて、磁力に逆らってマーカーを引き剥がすだけでよい。
【実施例２】
【００２９】
図示しないが、実施例２では、実施例１における埋設金属板１０に代えて永久磁石を埋設する。マーカー７側は永久磁石を埋設してもよいし、単なる金属板としてもよい。
【実施例３】
【００３０】
実施例３では、図５に示すように、隆起部を２つずつ対向して位置する４つの小片１１Ａ，１１Ａ’，１２Ａ，１２Ａ’とする。このような隆起部でもマーカーの移動を十分抑制することができる。
【実施例４】
【００３１】
図示しないが、実施例４では、実施例１における円弧状隆起部を上下方向に位置するカギ括弧（［］）とする。このような隆起部でもマーカーの移動を十分抑制することができる。
【図面の簡単な説明】
【００３２】
【図１】第１実施例に係るゴルフ用手袋の正面図である。
【図２】甲部覆い片をめくった状態のゴルフ用手袋の正面図である。
【図３】図１の３−３断面図である。
【図４】図１の４−４断面図である。
【図５】本発明の第３実施例に係るゴルフ用手袋の正面図である。
【符号の説明】
【００３３】
１     ゴルフ用手袋
２     甲部覆い片
３     手袋甲部
４     開閉部
５，６ 面ファスナ
７     マーカー
７ａ   永久磁石
８     マーカー取付個所
１０   埋設金属板
１１，１２    円弧状隆起部
１１Ａ，１１Ａ’，１２Ａ，１２Ａ’  小片状隆起部
１３，１４    空間
【図１】
2007029318.tif 000003
【図２】
2007029318.tif 000004
【図３】
2007029318.tif 000005
【図４】
2007029318.tif 000006
【図５】
2007029318.tif 000007